(57)【要約】本発明は足プロテクターに関するものである。本発明の一側面によると、足と脚を保護できるようにし、弾性素材からなる足プロテクターであって、足を支える底板部；および前記底板部の上側に連結形成され、足と脚の側面部と後面部の少なくとも一部を包み込むように形成される保護部；を含んでなり、前記保護部は足首部位の左右の両側に着用者の踝の位置に相応する部位が外部に露出するようにする開口部を含んで形成されることを特徴とする、足プロテクターが開示される。【選択図】図１
2019513506.tif 000002
【特許請求の範囲】
【請求項１】
足と脚を保護できるようにし、弾性素材からなる足プロテクターであって、
足を支える底板部；および
前記底板部の上側に連結形成され、足と脚の側面部と後面部の少なくとも一部を包み込むように形成される保護部；を含んでなり、
前記保護部は足首部位の左右の両側に着用者の踝の位置に相応する部位が外部に露出するようにする開口部を含んで形成されることを特徴とする、足プロテクター。
【請求項２】
前記保護部は、足と脚の後面部を保護する後板と、足と脚の側面部を保護する左側側板および右側側板を含んでなり、
前記後板と左側側板および右側側板はそれぞれ第１連結部によって連結形成されることを特徴とする、請求項１に記載の足プロテクター。
【請求項３】
前記第１連結部は後板および側板のそれぞれの連結部位より厚さが薄く形成されたことを特徴とする、請求項２に記載の足プロテクター。
【請求項４】
前記後板は上部に形成される上板と下部に形成される下板を含んでなり、
前記上板と下板は第２連結部によって連結形成されたことを特徴とする、請求項２に記載の足プロテクター。
【請求項５】
前記第２連結部は上板および下板のそれぞれの連結部位より厚さが薄く形成されたことを特徴とする、請求項４に記載の足プロテクター。
【請求項６】
前記左側側板および右側側板は前記上板および下板より厚さが薄く形成されることを特徴とする、請求項４に記載の足プロテクター。
【請求項７】
前記左側側板および右側側板の厚さはそれぞれ４ｍｍ±０．４ｍｍであり、前記下板および上板の厚さはそれぞれ５ｍｍ±０．５ｍｍであり、前記第１連結部および第２連結部の厚さはそれぞれ３ｍｍ±０．３ｍｍとなるように形成されることを特徴とする、請求項６に記載の足プロテクター。
【請求項８】
前記左側側板および右側側板はそれぞれ前記開口部の下側の前方に位置した足保護板と前記開口部の上側の後方に位置した脚保護板を含んで構成されることを特徴とする、請求項２に記載の足プロテクター。
【請求項９】
前記第１連結部は、前記後板と左脚保護板および右脚保護板の上端を連結する第１上部連結部と、前記後板と左脚保護板および右脚保護板の下端を連結する第１下部連結部を含んでなり、
前記第１上部連結部の上下幅の最小値は前記第１下部連結部の上下幅の最小値より小さく形成されることを特徴とする、請求項８に記載の足プロテクター。
【請求項１０】
前記左側側板および右側側板にはそれぞれファスナー締結部が形成され、
前記左脚保護板および右脚保護板に形成されたファスナー締結部の高さ範囲は前記第１連結部の高さ範囲と少なくとも一部が重なることを特徴とする、請求項８に記載の足プロテクター。
【請求項１１】
前記底板部は、足の前側に位置し、足の側面部を包み込む保護部と連結されない前底板部と、足の後側に位置し、足の側面部を包み込む保護部と一体に連結された後底板部を含み、
着用者の歩行荷重によって前記底板部の弾性曲げ変形が発生するものの、前記前底板部に前記後底板部よりも大きな弾性曲げ変形が発生するように構成されたことを特徴とする、請求項１に記載の足プロテクター。
【請求項１２】
前記保護部は、足と脚の後面部を保護する後板と、足と脚の側面部を保護する左側側板および右側側板を含んでなり、前記後板と左側側板および右側側板はそれぞれ第１連結部によって一体に連結形成され、
前記左側側板および右側側板はそれぞれ前記開口部の下側の前方に位置した足保護板と前記開口部の上側の後方に位置した脚保護板を含んでなり、
前記後底板部は前記足保護板と一体に連結形成されることを特徴とする、請求項１１に記載の足プロテクター。
【請求項１３】
前記足保護板は前後方向の足の直線長さを基準として前記底板部の後端地点から前端地点に向かって６３〜７３％の位置範囲まで延長形成されることを特徴とする、請求項１２に記載の足プロテクター。
【請求項１４】
前記底板部は曲げ変形が発生していない第１状態と着用者の歩行荷重によって前記前底板部に弾性曲げ変形が発生した第２状態を有し、
前記第２状態から前記前底板部に発生した弾性曲げ変形によって前記第１状態への復元力が提供されるように構成されたことを特徴とする、請求項１１に記載の足プロテクター。
【請求項１５】
前記左側側板および右側側板にはそれぞれファスナー締結部が形成され、前記ファスナー締結部は、前記開口部を中心に着用者の足の甲側で足を固定できるように前記足保護板に形成される第１ファスナー締結部と、前記開口部を中心に着用者の脚の前面側で脚を固定できるように前記脚保護板に形成される第２ファスナー締結部を含んで構成されたことを特徴とする、請求項１１に記載の足プロテクター。
【請求項１６】
弾性素材からなり、前記前底板部の上側に着脱可能な構造で備えられ、足指を上部から包み込むように形成される足指蓋部；をさらに含み、
前記保護部と前記足指蓋部の相互隣接部には隙間が形成されたことを特徴とする、請求項１１に記載の足プロテクター。
【請求項１７】
前記底板部の前面部の上側に備えられ、足指を上部から包み込むように形成される足指蓋部；および
前記足指蓋部の一側に形成されて足プロテクターを着用した状態でも足指蓋部を着脱可能にする着脱結合手段；を含んでなることを特徴とする、請求項１に記載の足プロテクター。
【請求項１８】
前記着脱結合手段は弾性力による嵌合ができるように構成されたことを特徴とする、請求項１７に記載の足プロテクター。
【請求項１９】
前記足指蓋部は足指を保護するカバーを含み、
前記着脱結合手段は、
前記カバーの端部に少なくとも一つ以上形成される弾性挿入片と、
前記底板部に形成されるものの、前記弾性挿入片と対応する位置に形成された挿入孔を含んでなることを特徴とする、請求項１８に記載の足プロテクター。
【請求項２０】
前記弾性挿入片は、Ｕ字状に形成されて一端が前記カバーの端部に連結され、他端には結合状態で前記挿入孔の上側に露出するように形成された着脱部が備えられ、
前記挿入孔よりもＵ字状の弾性挿入片の収縮前の大きさが大きく形成されたことを特徴とする、請求項１９に記載の足プロテクター。
【請求項２１】
前記弾性挿入片は、Ｕ字状に形成されて一端が前記カバーの端部に連結され、他端には結合状態で前記挿入孔の上側に露出するように形成された着脱部が備えられ、
前記弾性挿入片の前記他端の一側には、結合状態で前記挿入孔の一側面に備えられた係止段に係止される係止部が備えられたことを特徴とする、請求項１９に記載の足プロテクター。
【請求項２２】
前記カバーは端部の一側に少なくとも一つ以上の突出挿入片が形成され、
前記底板部は前記突出挿入片と対応する位置に前記突出挿入片を挿入可能な溝部が形成されることを特徴とする、請求項１９に記載の足プロテクター。
【請求項２３】
前記弾性挿入片は、下方に延長形成されて一端が前記カバーの端部に連結され、他端には結合状態で前記挿入孔の下側に露出して挿入孔の一側面に備えられた係止段に係止される係止部が備えられたことを特徴とする、請求項１９に記載の足プロテクター。
【請求項２４】
前記保護部と前記足指蓋部の相互隣接部には隙間が形成されたことを特徴とする、請求項１７に記載の足プロテクター。
【請求項２５】
前記底板部の前面部の上側に備えられ、足指を保護するカバーを含んで足指を上部から包み込むように形成される足指蓋部；および
前記足指蓋部の一側に形成され、前記カバーの端部に少なくとも一つ以上形成される弾性挿入片と前記底板部に形成されるものの、前記弾性挿入片と対応する位置に形成された挿入孔を含み、足プロテクターを着用した状態でも足指蓋部を着脱可能にする着脱結合手段；を含み、
前記カバーは端部の一側に下方に延びた少なくとも一つ以上の突出挿入片が形成され、前記底板部は前記突出挿入片と対応する位置に前記突出挿入片を挿入可能な溝部が形成され、
前記突出挿入片の下端には結合状態で前記溝部の下側に挿入されて溝部の下側に形成されたカバー締結段に係止されるカバー締結部が備えられたことを特徴とする、請求項１に記載の足プロテクター。
【請求項２６】
前記突出挿入片は前記カバーの最先端部に位置するように形成されたことを特徴とする、請求項２５に記載の足プロテクター。
【請求項２７】
前記着脱結合手段が解除され、前記カバーが前記最先端部に位置する突出挿入片を中心に上方に回動開放操作ができるように、
前記カバーの最先端部に位置する突出挿入片と前記溝部間には隙間が形成されたことを特徴とする、請求項２６に記載の足プロテクター。
【請求項２８】
前記着脱結合手段が解除され、前記カバーが前記最先端部に位置する突出挿入片を中心に上方に回動開放操作された状態で、
前記突出挿入片のカバー締結部と前記溝部のカバー締結段は係止解除状態をなすように形成されたことを特徴とする、請求項２７に記載の足プロテクター。
【請求項２９】
前記底板部の下側に備えられ、足の前後方向に沿って多数の屈曲が配置された第１屈曲部が下面に備えられた第１インソール板部と、前記第１インソール板部の側面に沿って形成される多数の側面突起を含む第１インソール；および
前記第１インソールの下側に着脱可能に結合され、前記第１屈曲部に対応する屈曲形状に形成される第２屈曲部が上面に備えられた第２インソール板部と、内側面に前記多数の側面突起が挿入され得るようにする突起挿入溝が備えられ、前記第２インソール板部の周りに沿って形成された側壁部を含む第２インソール；を含む、請求項１に記載の足プロテクター。
【請求項３０】
前記側壁部は上面の内側に形成される段差部をさらに含んでなることを特徴とする、請求項２９に記載の足プロテクター。
【請求項３１】
前記側壁部の一側に備えられた着脱取っ手；をさらに含むことを特徴とする、請求項２９に記載の足プロテクター。
【請求項３２】
前記側面突起は、少なくとも前記第１インソール板部の側面の側方と前方の連結部位または側方と後方の連結部位のうち少なくともいずれか一つ以上の部位に一つ以上形成されることを特徴とする、請求項２９に記載の足プロテクター。
【請求項３３】
前記側面突起は上部角と下部角を含み、前記下部角は上部角よりも緩やかにラウンディング処理されたことを特徴とする、請求項２９に記載の足プロテクター。
【請求項３４】
前記側面突起は、前端に備えられる側面突起に比べて後端に備えられる側面突起の面積がより大きく形成されることを特徴とする、請求項２９に記載の足プロテクター。
【請求項３５】
前記第１インソール板部の側面で側面突起が形成された部分の面積は、第１インソール板部の側面の全面積の１０〜５０％であることを特徴とする、請求項２９に記載の足プロテクター。
【請求項３６】
前記第１インソールは第２インソールより硬質に形成されることを特徴とする、請求項２９に記載の足プロテクター。
【請求項３７】
前記第１屈曲部および第２屈曲部の屈曲形状はラウンディング形状であることを特徴とする、請求項２９に記載の足プロテクター。
【請求項３８】
前記底板部と保護部は同じ材質の弾性合成素材を利用して一体に連結形成され、着用者の身体を支持する板状部とこれを連結する連結部を含み、前記板状部よりも連結部の厚さが薄く形成されたことを特徴とする、請求項１に記載の足プロテクター。
【請求項３９】
靴の底板の下側に備えられ、足の前後方向に沿って多数の屈曲が配置された第１屈曲部が下面に備えられた第１インソール板部と、前記第１インソール板部の側面に沿って形成される多数の側面突起を含む第１インソール；および
前記第１インソールの下側に着脱可能に結合され、前記第１屈曲部に対応する屈曲形状に形成される第２屈曲部が上面に備えられた第２インソール板部と、内側面に前記多数の側面突起が挿入され得るようにする突起挿入溝が備えられ、前記第２インソール板部の周りに沿って形成された側壁部を含む第２インソール；を含む、インソール。
【発明の詳細な説明】
【技術分野】
【０００１】
本発明は足プロテクターおよびそのためのインソールに関するものであって、詳細には足または脚の骨折、捻挫などの状況で足と脚に密着固定されて堅固な保護状態を提供し、一つの形状で左足および右足のいずれにも適用することができ、着脱が容易であり、室内および室外での歩行が容易となるように構成された、足プロテクターおよびそのためのインソールに関するものである。
【背景技術】
【０００２】
足または脚に捻挫、骨折のような負傷が発生する場合、物理的な治療と共に足または脚の動きを最小化させる安定的な保護が必要である。このために、従来は一般的に副木やギプス（Ｇｉｂｓ）により足または脚を堅固に固定することによって、負傷部位の回復を助ける医療的措置が取られた。
【０００３】
しかし、副木またはギプスは負傷した脚を堅固に保護できるという長所がある反面、足または脚を固定するために多様な部材を必要とし、着用者の脚や足の動きが過度に制限されて簡単な歩行のような動きも困難であるという問題点があった。
【０００４】
このような点を考慮して、足を部分的に固定する靴形態のプロテクターや、合成樹脂材で製作されたギプス形態の足プロテクターが商用製品の形態で提案されたことがある。
【０００５】
しかし、従来の商用製品も依然として負傷部位の固定に重点を置いたため、簡単な歩行のような動きを提供したり、着脱の便宜性を提供したり、室内および室外の移動便宜性のような多様な機能を同時に提供するには限界があった。
【発明の概要】
【発明が解決しようとする課題】
【０００６】
本発明は前記のような問題点に鑑みて案出されたもので、足または脚の骨折、捻挫などの状況で足と脚に密着固定されて堅固な保護状態を提供し、一つの形状で左足および右足のいずれにも適用することができ、着脱が容易であり、室内および室外での歩行が容易となるように構成された、足プロテクターおよびそのためのインソールを提供することをその目的とする。
【課題を解決するための手段】
【０００７】
前記のような目的を達成するための本発明の一側面によると、足と脚を保護できるようにし、弾性素材からなる足プロテクターであって、足を支える底板部；および前記底板部の上側に連結形成され、足と脚の側面部と後面部の少なくとも一部を包み込むように形成される保護部；を含んでなり、前記保護部は足首部位の左右の両側に着用者の踝の位置に相応する部位が外部に露出するようにする開口部を含んで形成されることを特徴とする、足プロテクターが開示される。
【０００８】
好ましくは、前記底板部は、足の前側に位置し、足の側面部を包み込む保護部と連結されない前底板部と、足の後側に位置し、足の側面部を包み込む保護部と一体に連結された後底板部を含み、着用者の歩行荷重によって前記底板部の弾性曲げ変形が発生するものの、前記前底板部に前記後底板部よりも大きな弾性曲げ変形が発生するように構成されたことを特徴とする。
【０００９】
好ましくは、本発明は前記底板部の前面部の上側に備えられ、足指を上部から包み込むように形成される足指蓋部；および前記足指蓋部の一側に形成されて足プロテクター着用状態でも足指蓋部を着脱可能にする着脱結合手段；を含んでなることを特徴とする。
【００１０】
好ましくは、本発明は前記底板部の下側に備えられ、足の前後方向に沿って多数の屈曲が配置された第１屈曲部が下面に備えられた第１インソール板部と、前記第１インソール板部の側面に沿って形成される多数の側面突起を含む第１インソール；および前記第１インソールの下側に着脱可能に結合され、前記第１屈曲部に対応する屈曲形状に形成される第２屈曲部が上面に備えられた第２インソール板部と、内側面に前記多数の側面突起が挿入され得るようにする突起挿入溝が備えられ、前記第２インソール板部の周りに沿って形成された側壁部を含む第２インソール；を含む。
【００１１】
好ましくは、前記底板部と保護部は同じ材質の弾性合成素材を利用して一体に連結形成され、着用者の身体を支持する板状部とこれを連結する連結部を含み、前記板状部よりも連結部の厚さが薄く形成されたことを特徴とする。
【００１２】
本発明のさらに他の一側面によると、靴の底板の下側に備えられ、足の前後方向に沿って多数の屈曲が配置された第１屈曲部が下面に備えられた第１インソール板部と、前記第１インソール板部の側面に沿って形成される多数の側面突起を含む第１インソール；および前記第１インソールの下側に着脱可能に結合され、前記第１屈曲部に対応する屈曲形状に形成される第２屈曲部が上面に備えられた第２インソール板部と、内側面に前記多数の側面突起が挿入され得るようにする突起挿入溝が備えられ、前記第２インソール板部の周りに沿って形成された側壁部を含む第２インソール；を含む、インソールが開示される。
【発明の効果】
【００１３】
このような本発明は、足または脚に骨折、捻挫、打撲傷などが発生して足または脚を保護しなければならない場合、ギプスをしなくても足と脚を全体的に固定および保護して患者が負傷から早く回復できるようにする長所がある。
【００１４】
特に、本発明は左足および右足を問わず適用できるだけでなく、スリムな形状を有し、足と脚に適切に密着固定されるため、着用感が優れるという長所がある。
【００１５】
また、本発明は足プロテクターの着脱が容易であり、着用者ごとに異なる脚の太さ、形状などに適切に対応することができるため、脚などの堅固な固定ができるという長所がある。
【００１６】
また、本発明は足指を保護する蓋を足プロテクター着用状態でも容易に着脱できるため、足プロテクター着脱の便宜性および通気便宜性を提供するという長所がある。
【００１７】
また、本発明は、脚と足首は堅固に固定するものの、足裏の動きは前方の部分を中心に部分的に許容する構造を提供するため、脚と足首部位の捻挫のような軽い負傷時に、負傷部位を保護しながらも患者が日常的な歩行ができるようにするという長所がある。
【００１８】
また、本発明は足と脚を保護する状態で、インソール着脱構造を通じて室内および室外での歩行を含む多様な活動を自由で気楽にできるという長所がある。
【００１９】
特に、本発明は第２インソールを着脱するだけでも室内から室外にまたは室外から室内に移動できるため、移動のために足プロテクター自体を着脱するか他の靴に履き替えて着用する必要がないという長所がある。
【図面の簡単な説明】
【００２０】
【図１】本発明の一実施例に係る足プロテクターの斜視図。
【図２】本発明の一実施例に係る足プロテクターの分解斜視図。
【図３】本発明の一実施例に係る足プロテクターの断面図。
【図４】本発明の一実施例に係る足プロテクターの背面図。
【図５】本発明の一実施例に係る足プロテクターの側断面図。
【図６】本発明の一実施例に係るファスナーが締結された足プロテクターの斜視図。
【図７】本発明の一実施例に係る足プロテクターの側面模式図。
【図８】本発明の一実施例に係る足プロテクターの使用状態の側面模式図。
【図９】本発明の一実施例に係る足プロテクターの使用状態の側面模式図。
【図１０】本発明の一実施例に係る足プロテクターの使用状態の側面模式図。
【図１１】本発明のさらに他の一実施例に係る足プロテクターの斜視図。
【図１２】本発明のさらに他の一実施例に係る足プロテクターの斜視図。
【図１３】本発明の一実施例に係る足プロテクターの歩行荷重解釈シミュレーション画面。
【図１４】比較例に係る足プロテクターの歩行荷重解釈シミュレーション画面。
【図１５】本発明の一実施例に係る足プロテクターの側板部位の広がり解釈シミュレーション画面。
【図１６】比較例に係る足プロテクターの側板部位の広がり解釈シミュレーション画面。
【図１７】本発明のさらに他の一実施例に係る足プロテクターの断面図。
【図１８】本発明のさらに他の一実施例に係る足プロテクターの足指蓋部の斜視図。
【図１９】本発明のさらに他の一実施例に係る足プロテクターの足指蓋部の部分断面図。
【図２０】図１９の状態に突出挿入片のカバー締結部と溝部のカバー締結段が係止解除された状態を示した部分断面図。
【図２１】本発明のさらに他の一実施例に係る足プロテクターのインソール部分の斜視図。
【図２２】本発明のさらに他の一実施例に係る足プロテクターのインソール部分の分解斜視図。
【図２３】本発明のさらに他の一実施例に係る足プロテクターのインソール部分の別の方向から見た分解斜視図。
【図２４】本発明のさらに他の一実施例に係る第２インソールの断面図。
【図２５】本発明のさらに他の一実施例に係る第１インソールの底面図。
【図２６】本発明のさらに他の一実施例に係る足プロテクターのインソール部分の脱去中の状態を示す使用状態図。
【図２７】本発明のさらに他の一実施例に係る足プロテクターの室内での使用状態を示す側面図。
【図２８】本発明のさらに他の一実施例に係る足プロテクターの室外での使用状態を示す側面図。
【発明を実施するための形態】
【００２１】
本発明は、その技術的思想または主要な特徴から逸脱することなく他の多様な形態で実施され得る。したがって、本発明の実施例はすべての点で単なる例示に過ぎず、限定的に解釈されてはならない。
【００２２】
第１、第２等の用語は、一つの構成要素を他の構成要素から区別する目的でのみ用いられる。例えば、本発明の権利範囲を逸脱することなく第１構成要素は第２構成要素と命名され得、同様に第２構成要素も第１構成要素と命名され得る。
【００２３】
ある構成要素が他の構成要素に「連結されて」あるとか「接続されて」あると言及された時には、その他の構成要素に直接的に連結されているかまたは接続されている場合もあり得るが、中間に他の構成要素が存在することもできる。
【００２４】
本出願で用いた単数の表現は、文脈上明白に異なるように意味しない限り、複数の表現を含む。本出願で、「含む」または「具備する」、「有する」等の用語は、明細書に記載された構成要素またはこれらの組み合わせが存在することを表現しようとするものであって、他の構成要素または特徴の存在または付加の可能性をあらかじめ排除するものではない。
【００２５】
本発明の説明において、関連した公知技術についての具体的な説明が本発明の要旨を曖昧にする恐れがあると判断される場合、その詳細な説明を省略する。
【００２６】
図面を参照して、本実施例の足プロテクターの構成を説明する。
【００２７】
図１は、本発明の一実施例に係る足プロテクターの斜視図である。図２は、本発明の一実施例に係る足プロテクターの分解斜視図である。
【００２８】
本発明の一実施例に係る足プロテクター１は、足と脚とを同時に保護できるようにするものであって、足と脚の大きさ、形などに対応して適切に圧迫、固定、保護できるように、弾性素材（例、合成樹脂材、硬質ゴム材）からなることが好ましい。合成樹脂材としては、ＰＰ（Ｐｏｌｙｐｒｏｐｙｌｅｎｅ）、ＡＢＳ（ａｃｒｙｌｏｎｉｔｒｉｌｅ−ｂｕｔａｄｉｅｎｅ−ｓｔｙｒｅｎｅ）、ＰＥ（Ｐｏｌｙｅｔｈｙｌｅｎｅ）、ＰＣ（Ｐｏｌｙｃａｒｂｏｎａｔｅ）、ナイロン（Ｎｙｌｏｎ）樹脂素材などを用いることができ、好ましくはナイロン樹脂が用いられ得る。強度と弾性特性を調整または強化するために、ガラス繊維や炭素繊維を補強材として混合した素材を用いることもできる。このような合成樹脂を利用して、例えば射出成形方式で足プロテクターを形成することができる。
【００２９】
本発明の一実施例に係る足プロテクター１は、足を支える底板部１０、足と脚を固定、保護する保護部２０を含んで構成される。
【００３０】
前記底板部１０は一例として、左側または右側の足裏の平面的な形状を有するように形成され得、他の例として左右の両側の足に適用され得るように、左右が対称であり、前面部が後面部よりも広い形態の板形状を有するように形成されてもよい。
【００３１】
本発明で用いられる用語において「左側」および「右側」は、足プロテクター１を着用した状態での足プロテクター１の左側および右側を意味し、同じ状態で足指に近い方が「前面」または「前方」、かかとに近い方が「後面」または「後方」に該当する。
【００３２】
前記底板部１０は、気楽な歩きのために前述したように弾性力のある素材からなることが好ましく、底板部１０の下面にはかかと（図示されず）が形成されて底板部１０の摩耗を防止する一方、かかとの適切な角度調節がなされるようにすることもできる。
【００３３】
前記保護部２０は前記底板部１０の上側に連結形成される。好ましくは、前記保護部２０は足と脚の側面部と後面部の少なくとも一部を包み込むように左右対称に形成される。
【００３４】
好ましくは、前記底板部１０と保護部２０は単一の弾性素材で一体に連結形成され、部位別素材の厚さおよび結合構造によって堅固な支持機能と柔軟な変形機能を適切に提供することができる。
【００３５】
別の観点で、前記底板部１０と保護部２０は製造および組立工程の単純化を通じての費用節減のために一体に連結形成（例、溶融した弾性素材を金型を利用して一体に加圧形成）できるように構成されることが好ましい。
【００３６】
他の例として、結合手段（例、底板部１０および保護部２０のそれぞれに機構的に形成された結合手段、リベット、ボルトとナットなど）を通じて底板部１０と保護部２０の相互結合がなされるように形成されてもよい。
【００３７】
前記保護部２０は、足首部位の左右の両側に着用者の踝の位置に相応する部位が外部に露出するようにする開口部２９を含んで形成される。
【００３８】
前記開口部２９は、前記左脚保護板および右脚保護板２６ｂ、２６ｂ’と左足および右足保護板２６ａ、２６ａ’の間に左右対称に備えられることが好ましく、前記脚保護板２６ｂ、２６ｂ’および足保護板２６ａ、２６ａ’が相互に分離して形成される場合、分離された部分に開口部２９が位置するようにすることが好ましい。
【００３９】
前記開口部２９は、本発明の一実施例に係る足プロテクター１の着用時に着用者の踝に圧迫が加えられないようにする。
【００４０】
また、前記開口部２９が左右の両側に形成されることによって、本発明の一実施例に係る足プロテクター１を着用した着用者の踝部位の保護部２０が外側に突出しないので、左右の幅がスリムな足プロテクター１を形成することができる。
【００４１】
図４は本発明の一実施例に係る足プロテクターの背面図であり、図５は本発明の一実施例に係る足プロテクターの側断面図であって、図４のＢ−Ｂ’の断面図であり、図６は本発明の一実施例に係るファスナーが締結された足プロテクターの斜視図である。
【００４２】
本発明の一実施例に係る前記保護部２０は図４に図示された通り、脚の後面部を保護する後板２２と足と脚の側面部を保護する左側側板および右側側板２６、２６’を含んで構成される。
【００４３】
前記保護部２０の後面部に位置した後板２２は脚の後部を支持し、保護部２０の両側面に位置した左側および右側側板２６、２６’は脚の両側面を支持する一方、足の甲を含む足を固定、保護する。
【００４４】
本発明の一実施例に係る前記後板２２と左側および右側側板２６、２６’は、図４に図示された通り、それぞれ第１連結部２４５により連結形成される。
【００４５】
前記第１連結部２４５は好ましくは、後板２２と左側および右側側板２６、２６’と一体に形成されるものの、同一であるか類似する材質の弾性素材からなり得、他の例として、後板２２と左側および右側側板２６、２６’は相対的に硬質の素材からなり、第１連結部２４５は相対的に軟質の素材からなるように形成されてもよい。
【００４６】
好ましい一例として、本実施例の前記第１連結部２４５は後板２２および側板と同一素材からなり、かつそれぞれの連結部位より厚さが薄く形成される。
【００４７】
一例として、前記後板２２と左側および右側側板２６、２６’が同じ材質の弾性素材からなった場合にも、図４に図示された通り、第１連結部２４５の厚さｔ２を側板の連結部位の厚さｔ１および後板２２の連結部位の厚さ（図示されず）より薄く形成することによって、後板２２、左側および右側側板２６、２６’と第１連結部２４５の間の相対的な厚さの差によりそれぞれ相対的に硬質と軟質の素材で構成したのと類似する効果が得られる。
【００４８】
したがって、前記後板２２と左側および右側側板２６、２６’が相対的に硬質である特性により、それぞれ脚の後面および側面を堅固に固定できるのみならず、各板の相互間には柔軟性を有するため、脚をすべての方向から安定して包み込むことができる。
【００４９】
さらに付け加えると、前記保護部２０の形状のため相対的に硬質に形成される後板２２と左側および右側側板２６、２６’が、相対的に軟質に形成される第１連結部２４５により連結された形態をなすため、従来副木が有する堅固性および副木で脚を圧迫するように連結する包帯（糸）が有する柔軟性を同時に得ることができる。
【００５０】
前記それぞれの連結部位の厚さは、後板２２と左側および右側側板２６、２６’と第１連結部２４５が直接連結される部位の厚さと理解され得る。
【００５１】
本発明の一実施例に係る前記左側および右側側板２６、２６’は、それぞれ前方に位置した足保護板と後方に位置した脚保護板を含んで構成される。
【００５２】
一例として、前記足保護板は前記開口部の下側の前方に位置し、前記脚保護板は開口部の上側の後方に位置する。前記足保護板および脚保護板の位置は全般的な位置を意味するものであって、前記足保護板および脚保護板の一部が前記開口部を中心に下側の後方または上側の前方まで一部が延長形成されてもよい。
【００５３】
前記左側側板２６には左足保護板２６ａと左脚保護板２６ｂが含まれ、右側側板２６’には右足保護板２６ａ’と右脚保護板２６ｂ’が含まれて構成される。
【００５４】
前記左足および右足保護板２６ａ、２６ａ’は足を固定する一方、外部の衝撃、損傷から足を保護し、左脚および右脚保護板２６ｂ、２６ｂ’は脚を固定する一方、外部の衝撃、損傷から脚を保護する。
【００５５】
前記左足および右足保護板２６ａ、２６ａ’、左脚および右脚保護板２６ｂ、２６ｂ’は、相互に分離して形成され得、足と脚を一体に固定しながらもそれぞれの部位をさらによく包み込むように、前述した第１連結部２４５および後述する第２連結部２８と類似する形態の連結材（図示されず）により連結形成され得る。
【００５６】
前記左側および右側側板２６、２６’、すなわち前記左足および右足保護板２６ａ、２６ａ’および左脚および右脚保護板２６ｂ、２６ｂ’には、一例として、それぞれファスナー（ｆａｓｔｅｎｅｒ）締結部２６ｃ、２６ｄが形成される。
【００５７】
図６に図示された通り、前記足保護板には足の甲側で足を固定できるように形成されるファスナー締結部２６ｃが形成され得、前記脚保護板には脚の前面側で脚を固定できるように形成されるファスナー締結部２６ｄが形成され得る。
【００５８】
この時、左足および右足保護板２６ａ、２６ａ’にはそれぞれ一つ以上のファスナー締結部２６ｃが形成され得、左脚および右脚保護板２６ｂ、２６ｂ’にもそれぞれ一つ以上のファスナー締結部２６ｄが形成され得る。
【００５９】
前記それぞれのファスナー締結部２６ｃ、２６ｄには、ファスナー９０が挿入されて足と脚を固定、保護することができ、図６に図示されたようなベルクロ（ｖｅｌｃｒｏ）タイプのファスナー９０以外にも多様な形態の公知の連結手段を利用することが得る。
【００６０】
前記ファスナー９０およびファスナー締結部２６ｃ、２６ｄは、本発明の一実施例に係る足プロテクター１の着脱が容易になされるようにする。
【００６１】
本発明の一実施例に係る前記左脚および右脚保護板２６ｂ、２６ｂ’に形成されたファスナー締結部２６ｄの高さ範囲は、前記第１連結部２４５の高さ範囲と少なくとも一部が重なる。
【００６２】
このような高さ範囲の重なりは、前記左脚および右脚保護板２６ｂ、２６ｂ’に形成されたファスナー締結部２６ｄに締結されるファスナー幅の少なくとも一部と前記第１連結部２４５の幅の少なくとも一部とは、環状（ｒｉｎｇ−ｓｈａｐｅ）をなす同一平面に位置するものと理解され得る。
【００６３】
前記ファスナー幅の一部と第１連結部２４５幅の一部とが一つの帯状をなすように形成されることによって、図６に図示されたように、ファスナーを前面にのみ締結したにもかかわらず、全体として脚をファスナーによって固定する効果が得られるため、着用者の脚を密着固定することができる。
【００６４】
本発明の一実施例に係る前記第１連結部２４５は図１に図示された通り、前記後板２２と左脚および右脚保護板２６ｂ、２６ｂ’の上端を連結する第１上部連結部２４ａと、前記後板２２と左脚および右脚保護板２６ｂ、２６ｂ’の下端を連結する第１下部連結部２４ｂを含んで構成される。
【００６５】
前記第１上部連結部２４ａおよび第１下部連結部２４ｂはそれぞれ一つ以上形成され、前述した通り前記後板２２、左脚および右脚保護板２６ｂ、２６ｂ’と同一素材からなることが好ましい。
【００６６】
一例として、図１に図示された通り、前記第１上部連結部２４ａは２個で構成され、このような構成は、前記後板２２、左脚および右脚保護板２６ｂ、２６ｂ’が着用者の脚を全体的にさらに密着して固定できるようにする。
【００６７】
この時、前記第１上部連結部２４ａの上下幅の最小値は前記第１下部連結部２４ｂの上下幅の最小値より小さく形成される。
【００６８】
一例として、図５に図示された通り、第１上部連結部２４ａが２個で構成された場合、２個の上下幅の最小値を足した値（ｌ１ａ＋ｌ１ｂ）が、前記第１下部連結部２４ｂの上下幅の最小値１２より小さく形成されるようにする。
【００６９】
足首などの骨折時に、足に近接した脚の下部が動かないようにさらに強固に固定しなければならないので、前記第１下部連結部２４ｂが第１上部連結部２４ａに比べてさらに堅固に形成されることが好ましい。したがって、同一素材、同一厚さで形成される場合、連結断面積が広いほど高い強度を確保することができるので、前記第１上部連結部２４ａの上下幅の最小値が前記第１下部連結部２４ｂの上下幅の最小値より小さく形成されることが好ましい。
【００７０】
本発明の一実施例に係る前記後板２２は図４に図示された通り、上部に形成される上板２２ａと下部に形成される下板２２ｂを含んで構成される。
【００７１】
一般に人の脚は上部側に近いほど太く、下部側に近いほど相対的に細くなるので、本発明の一実施例に係る足プロテクター１を着用する着用者の脚を安定的に固定するためには、上部側と下部側がそれぞれ別途に固定されるようにすることが好ましい。
【００７２】
したがって、前記上板２２ａと下板２２ｂは、それぞれ一定の範囲内で相互に流動性のある動きを有するように構成されることが好ましく、一例として、上板２２ａと下板２２ｂが分離するように形成されてもよく、他の例として、上板２２ａと下板２２ｂが別途の連結部によって連結されるように形成されてもよい。
【００７３】
本発明の一実施例に係る前記上板２２ａと下板２２ｂは第２連結部２８により連結形成される。
【００７４】
前記第２連結部２８は好ましくは、前記上板２２ａおよび下板２２ｂと一体に形成されるものの、同一であるか類似する材質の弾性素材からなり得、他の例として、上板２２ａおよび下板２２ｂは相対的に硬質の素材からなり、第２連結部２８は相対的に軟質の素材からなるように形成されてもよい。
【００７５】
好ましい一例として、本実施例の前記第２連結部２８は上板２２ａおよび下板２２ｂと同一素材からなり、かつそれぞれの連結部位より厚さが薄く形成される。
【００７６】
一例として、前記上板２２ａおよび下板２２ｂが同じ材質の弾性素材からなった場合にも、図５に図示された通り、第２連結部２８の厚さｔ４を上板２２ａの連結部位の厚さｔ３および下板２２ｂの連結部位の厚さｔ５より薄く形成することによって、上板２２ａおよび下板２２ｂと第２連結部２８の間の相対的な厚さの差によりそれぞれ相対的に硬質と軟質の素材で構成したのと類似する効果が得られる。
【００７７】
したがって、前記上板２２ａおよび下板２２ｂが相対的に硬質である特性により、それぞれ脚の上部側と下部側を堅固に固定できるのみならず、各板の相互間には柔軟性を有するため、脚をすべての方向から安定して包み込むことができる。
【００７８】
前記それぞれの連結部位の厚さは、上板２２ａおよび下板２２ｂと第２連結部２８が直接連結される部位の厚さと理解され得る。
【００７９】
本発明の一実施例に係る前記左側および右側側板２６、２６’は同一素材からなり、前記上板２２ａおよび下板２２ｂより厚さが薄く形成される。
【００８０】
すなわち、足と脚の後部を支持する上板２２ａおよび下板２２ｂを厚く形成することによって、脚の後部を堅固に支持することができ、左側および右側側板２６、２６’を相対的に薄く形成することによって、足と脚の両側面を密着して包み込むことができる。
【００８１】
したがって、本発明の一実施例に係る足プロテクター１は前記下板２２ｂおよび上板２２ａより前記左側および右側側板２６、２６’がさらに薄く形成され、前記左側および右側側板２６、２６’より前記第１連結部２４５および第２連結部２８がさらに薄く形成される。
【００８２】
前記下板２２ｂおよび上板２２ａの厚さは５ｍｍ±０．５ｍｍに形成されることが、堅固さを維持しながらも適切な重さを有させるために好ましく、前記左側および右側側板２６、２６’の厚さはそれぞれ４ｍｍ±０．４ｍｍ、前記第１連結部２４５および第２連結部２８の厚さはそれぞれ３ｍｍ±０．３ｍｍとなるように形成されることが好ましい。
【００８３】
前記保護部２０には本発明の一実施例に係る足プロテクター１の重さを減らし、汗の排出および通風を円滑にするように通気孔２３が一つ以上備えられ得る。
【００８４】
本発明の一実施例に係る足プロテクター１は、図６に図示された通り、前記底板部１０の下面にインソール６０をさらに含んで構成され得る。
【００８５】
前記インソール６０は、足プロテクター１を着用した状態で気楽に歩けるようにクッション感を提供する一方、足プロテクター１の摩耗を防止することができる。
【００８６】
前記インソール６０は一例として、公知の圧入式締結構造を利用して着脱が可能に形成され得、他の例として、足プロテクター１と接着などの方法によって固定して形成されてもよい。
【００８７】
前記インソール６０が着脱可能に形成された場合、室内ではインソール６０を脱去し、室外では前記インソール６０を付着することによって、着用者が足プロテクター１を着用した状態で室内外のいずれにも移動することができる。
【００８８】
本発明の一実施例に係る前記足プロテクター１は、足指を保護するための足指蓋部３０をさらに含んで構成される。
【００８９】
前記足指蓋部３０は前記底板部１０の前面部の上側に備えられ、足指を上部から包み込むように形成される。
【００９０】
前記足指蓋部３０は靴のつま先に該当する部分と理解され得、足指を外部の衝撃から保護することができる。
【００９１】
前記足指蓋部３０は足指を保護するカバー３２を含んで構成され得る。
【００９２】
前記カバー３２は一例として、図１に図示された通り、半球を半分に分けたのと類似する形状で構成され得る。
【００９３】
前記カバー３２は図２に図示された通り、カバー３２の端部が前記底板部１０の周辺側に結合されるように構成され得る。本実施例でカバー３２の端部は、底板部１０の上面と結合するカバー３２の下端の縁と理解され得る。
【００９４】
図３は本発明の一実施例に係る足プロテクターの断面図であって、図１のＡ−Ａ’の断面図である。
【００９５】
本発明の一実施例に係る足プロテクター１は図２および図３に図示された通り、前記足指蓋部３０の一側位置に形成されて足プロテクター１を着用した状態でも、足指蓋部３０を着脱可能にする着脱結合手段４０をさらに含んで構成される。
【００９６】
前記着脱結合手段４０は一例として、弾性力による嵌合ができるように構成される。
【００９７】
本発明の一実施例に係る前記着脱結合手段４０は、前記カバー３２の端部に少なくとも一つ以上形成される弾性挿入片４４と、前記底板部１０に形成されるものの、前記弾性挿入片４４と対応する位置に形成された挿入孔４６を含んで構成される。
【００９８】
前記弾性挿入片４４は一例として、前記カバー３２の左側および右側端部にそれぞれ一つずつ形成され得る。
【００９９】
前記弾性挿入片４４は一例として、図３に図示された通り、Ｕ字状に形成されて一端が前記カバー３２の端部に連結され、他端には結合状態で前記挿入孔４６の上側に露出するように形成された着脱部４９が備えられる。
【０１００】
着脱部４９は結合状態で前記底板部１０の挿入孔４６の上側に露出するように形成されるため、着用者は底板部１０の上側で着脱部４９を操作することができる。好ましくは、前記底板部１０の上面には３〜７ｍｍ程度の厚さを有するクッションパッド（図示されず）が付着され得、着脱部４９の最上端部はクッションパッド（図示されず）の上端面より若干低い程度に形成されることが好ましい。この場合、着用状態で着脱部４９の最上端部はクッションパッド（図示されず）の上端面より高く露出しないので、着用者の着用感に不便を与えないだけでなく、着脱操作が必要な場合、着用者はクッションパッドを若干押して圧縮させた状態で着脱部４９の最上端部を操作することができる。
【０１０１】
前記挿入孔４６よりもＵ字状の弾性挿入片４４の収縮前の大きさ（幅）が大きく形成されるため、前記弾性挿入片４４が挿入孔４６に挿入される場合、前記弾性挿入片４４の他端（着脱部４９側）は前記挿入孔４６の一側面に加圧されて接触され得る。
【０１０２】
この時、前記弾性挿入片４４が加圧接触による摩擦力によって前記挿入孔４６から脱落しないので、前記足指蓋部３０と底板部１０が結合、固定され得る。
【０１０３】
前記弾性挿入片４４は前記他端の一側に係止部４５をさらに具備することができ、前記係止部４５は前記接触が行われる挿入孔４６の一側面に備えられた係止段４７に係止されて着脱結合手段４０が挿入孔４６から容易に脱落しないようにする。
【０１０４】
前記底板部１０から足指蓋部３０を分離することは、足プロテクター１の着用状態で前記蓋部３０の内側に指を入れて前記着脱部４９を外側に加圧することによって行われ得る。
【０１０５】
このために、前記弾性挿入片４４、特に前記着脱部４９は前記カバーの終端部に位置するように形成されることが好ましい。
【０１０６】
本発明の一実施例に係る前記着脱結合手段４０が前記カバー３２の端部の左右の両側に一つずつ形成されるので、着用者の足が片側に偏って前記着脱部４９を押すことになっても前記足指蓋部３０と底板部１０の結合が維持され得る。
【０１０７】
本発明のさらに他の実施例に係る前記カバー３２は、端部の一側に少なくとも一つ以上の突出挿入片３４が形成され、前記底板部１０は前記突出挿入片３４と対応する位置に前記突出挿入片３４が挿入可能な溝部１４が形成される。
【０１０８】
前記突出挿入片３４および溝部１４は、前記着脱結合手段４０と共に足指蓋部３０と底板部１０の間の結合がさらに強固となるように形成される。
【０１０９】
一例として、前記突出挿入片３４は前記溝部１４に締り嵌めによって固定され得るように、前記溝部１４の内部の大きさ（長さおよび／または幅）が前記突出挿入片３４の外部の大きさ（長さおよび／または幅）より小さく形成され得る。
【０１１０】
前記突出挿入片３４および溝部１４は、好ましくは前記カバー３２の前端部周辺に形成されて前記足指蓋部３０と前記底板部１０の前面に隙間が発生しないようにする。
【０１１１】
本発明の一実施例に係る前記カバー３２と底板部１０が結合される部分（突出挿入片３４と溝部１４および着脱結合手段４０）は、着用者（例、足指骨折患者）の足裏によって押されないように構成されることが好ましい。
【０１１２】
この時、本発明の一実施例に係る足プロテクター１の着用者の自らの荷重によって底板部１０が下部に加圧されても前記カバー３２には力が加えられないので、足指蓋部３０と底板部１０の間の分離に影響を与えなくなり、足指蓋部３０を上部側に容易に着脱することができる。
【０１１３】
一方、本実施例の足プロテクターは、足と脚の側面部と後面部を包み込む保護部と足を支える底板部を一体に連結形成し、底板部の弾性曲げ変形によって、着用者の歩行補助機能を提供しつつ足首部位を中心とした負傷部位を効果的に保護できるように構成される。これに対する詳細構成を説明する。
【０１１４】
図７は、本発明の一実施例に係る足プロテクターの側面模式図である。図８〜図１０は本発明の一実施例に係る足プロテクターの使用状態の側面模式図である。
【０１１５】
本実施例の底板部１０は、足の前側に位置し、足の側面部を包み込む保護部２０と連結されない前底板部１０ａと、足の後側に位置し、足の側面部を包み込む保護部２０と一体に連結された後底板部１０ｂを含む。
【０１１６】
前記構成を通じて、着用者の歩行荷重によって前記底板部１０の弾性曲げ変形が発生するものの、前記前底板部１０ａが前記後底板部１０ｂよりも大きな弾性曲げ変形が発生するように構成される。
【０１１７】
前記前底板部１０ａが前記後底板部１０ｂよりも大きな弾性曲げ変形が発生するという意味は、着用者の歩行荷重によって後底板部１０ｂにも微細な弾性曲げ変形が発生はするものの、前底板部１０ａにより大きな弾性曲げ変形が発生するか、前記前底板部１０ａにのみ弾性曲げ変形が発生する場合であり得るという意味であり得る。
【０１１８】
このような変形特性は、前底板部１０ａは保護部２０と連結されないため歩行荷重作用時に底板の変形が容易に発生するのに比べ、後底板部１０ｂは側面の縁側に一体に連結された保護部２０により曲げ変形の発生に制約を受ける構造に起因する。このために、本実施例の保護部２０、特に足保護板２６ａ、２６ａ’は後底板部１０ｂの曲げ変形を制約する程度の厚さと物性を有するように形成されることが好ましく、かかとの部分まで断絶した部分なく後底板部１０ｂと連結形成されることが好ましい。
【０１１９】
図８は着用者が停止状態のため底板部１０に歩行荷重が発生していない状態であり、図９または図１０は着用者が歩行時に足を踏み出す歩行荷重によって前底板部１０ａに弾性曲げ変形が発生した状態を示す。図９は保護部２０と連結されない前底板部１０ａの略開始地点で変形が発生した状態であり、図１０は前底板部１０ａの略中間地点で変形が発生した状態をそれぞれ示す。
【０１２０】
このような弾性変形によって、着用者の歩行時に、足プロテクターが脚と足首は堅固に固定するものの、足裏の動きは前方の部分を中心に部分的に許容する構造を提供するため、脚と足首部位の捻挫のような軽い負傷時に負傷部位を保護しながらも足指の関節部位の底板の柔軟性を確保し、患者の日常的な歩行を可能にする。
【０１２１】
これを別の観点から見ると、前記底板部１０は曲げ変形が発生していない第１状態（図８の状態）と着用者の歩行荷重によって前記前底板部１０ａに弾性曲げ変形が発生した第２状態（図９または図１０の状態）を有し、前記第２状態から前記前底板部１０ａに発生した弾性曲げ変形によって前記第１状態への復元力が提供されるように構成されたものと見ることもできる。
【０１２２】
このような弾性変形および復元構造によって足プロテクター着用者は、歩行時に前記底板部１０から円滑な歩行のための補助的な力を受けるようになる。
【０１２３】
このような歩行が円滑に行われるために、本実施例の前記ファスナー締結部は前記開口部２９を中心に着用者の足の甲側で足を固定できるように、前記足保護板２６ａ、２６ａ’に形成される第１ファスナー締結部２６ｃと、前記開口部２９を中心に着用者の脚の前面側で脚を固定できるように、前記脚保護板２６ｂ、２６ｂ’に形成される第２ファスナー締結部２６ｄを含み、着用者の脚と足をそれぞれ堅固に固定するように構成される。
【０１２４】
一方、好ましくは、前記足保護板２６ａ、２６ａ’は前後方向の足の直線長さＬ１を基準として前記底板部１０の後端地点から前端地点に向かって６３〜７３％の位置範囲まで延長形成される。
【０１２５】
符号Ｌ２は、かかとから前記足保護板２６ａ、２６ａ’の前端地点までの距離を示し、Ｌ１を１００％とする時にＬ２が６３〜７３％の位置範囲を有するように前記足保護板２６ａ、２６ａ’が形成される。
【０１２６】
大韓民国国家技術標準院で発表した統計値（６次人体寸法調査、２０１０年）によると、３０〜５０代の成人男性および女性の場合、足の直線長さを１００％とした時、かかと−足の外側点（足の小指の関節開始地点）の長さは平均６３％、かかと−足の内側点（足の親指の関節開始地点）の長さは平均７３％の長さ値を示した。
【０１２７】
これを考慮すると、足指の関節の位置がかかとから６３〜７３％の位置範囲にあると見なすことができる。したがって、弾性曲げ変形の発生が必要な前底板部１０ａの開始地点を同一の位置範囲で形成すれば着用者が足指の関節の位置に合わせて弾性曲げ変形の位置を確保するようになるので、円滑な歩行が可能となる。
【０１２８】
図１１は、本発明のさらに他の一実施例に係る足プロテクターの斜視図である。
【０１２９】
前述した通り、本実施例の足プロテクターには足指蓋部３０が備えられ得る。本実施例では足指蓋部３０が備えられた状態でも前底板部１０ａの弾性曲げ変形が円滑になされるように、前記保護部２０、特に左足および右足保護部２６ａ、２６ａ’と前記足指蓋部３０の相互隣接部には隙間Ｃが形成される。
【０１３０】
このような構成を取る場合、着用者が本実施例の足プロテクターを着用して歩行時に前底板部１０ａに弾性曲げ変形が発生しても、左足および右足保護部２６ａ、２６ａ’と前記足指蓋部３０が隙間Ｃによって互いに干渉しなくなるため、円滑な歩行が可能となる。
【０１３１】
図１２は、本発明のさらに他の一実施例に係る足プロテクターの斜視図である。
【０１３２】
本実施例の足プロテクターは図１〜図６の実施例の変形例であって、開口部２９の開口面積を図１〜図６の実施例の場合と比べて相対的に大きく形成して足プロテクターの着脱時の便宜性を高め、着用者の踝周辺部位の圧迫感を減少させた形態である。本実施例では、拡張形成された開口部２９を通じてかかと部分の通気性が相対的に良好となる点を考慮して、保護部２０の通気孔（図６の２３）は省略する。
【０１３３】
このように、本実施例の足プロテクターは前述した基本特徴を維持する範囲で部分的に変形して構成してもよい。後述する歩行荷重解釈シミュレーションは、図１２の実施例のモデルで実施したものである。
【０１３４】
図１３は、本発明の一実施例に係る足プロテクターの歩行荷重解釈シミュレーション画面である。図１４は、比較例に係る足プロテクターの歩行荷重解釈シミュレーション画面である。
【０１３５】
歩行荷重解釈シミュレーションは、ナイロン樹脂（商品名ＴＥＫＡＭＩＤ  ＴＢ１２０ＳＴ  ＰＡ６）の物性データを利用して行われた。物性データの詳細条件は、ロックウェル硬度（Ｒｏｃｋｗｅｌｌ  ｈａｒｄｎｅｓｓ  Ｒ）１０５、引張強度（Ｔｅｎｓｉｌｅ  Ｓｔｒｅｎｇｔｈ）４８Ｍｐａ、破断伸び率（Ｅｌｏｎｇａｔｉｏｎ  ａｔ  Ｂｒｅａｋ）１５０％、曲げ降伏強度（Ｆｌｅｘｕｒａｌ  Ｙｉｅｌｄ  Ｓｔｒｅｎｇｔｈ）４５Ｍｐａ、曲げ係数（Ｆｌｅｘｕｒａｌ  Ｍｏｄｕｌｕｓ）１．４ＧＰａに設定された。前記物性データに基づいて弾性−完全塑性モデルと仮定し、有限要素解釈方法で解釈された。
【０１３６】
足プロテクターは高さ３０３ｍｍに設定され、足と脚が足プロテクターに挿入された状態でファスナー９０により堅固に固定された状態と仮定した。
【０１３７】
図１３の実施例は、２０度に前方に向かって脚が傾いた歩行荷重作用時に、前底板部１０ａのみが地面に着地状態を維持することによって、歩行荷重による曲げ変形が発生するように条件を付与した場合（図１０と類似する状態）であり、図１４の実施例は、前記と同様の歩行荷重作用時に、底板部１０の全体が地面に着地状態を維持することによって、底板部１０には曲げ変形が発生しないように条件を付与した場合（図８で保護部のみが前方に傾いた状態）である。
【０１３８】
図１３の場合、前底板部１０ａに変形が集中したことが確認され、後底板部１０ｂの中間の一部と開口部２９に微細な変形が発生したことが確認される。
【０１３９】
図１４の場合、前底板部１０ａおよび後底板部１０ｂには変形が発生せず、開口部２９に変形が集中したことが確認される。
【０１４０】
このような解釈結果を参照する時、本実施例の足プロテクターは、脚と足首は堅固に固定するものの、足裏の動きは前方の部分を中心に部分的に許容する構造を提供するため、脚と足首部位の捻挫のような軽い負傷に効果的であるという点が確認される。
【０１４１】
図１５は、本発明の一実施例に係る足プロテクターの側板部位の広がり解釈シミュレーション画面である。図１６は、比較例に係る足プロテクターの側板部位の広がり解釈シミュレーション画面である。
【０１４２】
図１５および図１６の歩行荷重解釈シミュレーションは、図１３および図１４のシミュレーションと同じ解釈条件によって行われたのであり、ただし歩行荷重を付与せずに底板部を完全拘束した状態で左脚保護板２６ｂと右脚保護板２６ｂ’の上端部の一地点をそれぞれ外側に２０ｍｍ押す方向に変位条件を付与した。
【０１４３】
図１５の実施例は、左脚保護板２６ｂと右脚保護板２６ｂ’が後板２２と区分されるように形成されて第１連結部２４５を通じて連結された場合であり、図１６の実施例は、左脚保護板と右脚保護板が後板と区分されず一体に形成された場合である。
【０１４４】
図１５の場合、第１連結部２４５にのみ変形が集中したことが確認され、左脚保護板２６ｂと右脚保護板２６ｂ’、後板２２にはほとんど変形が発生していないことが確認される。
【０１４５】
図１６の場合、後板と一体に形成された左脚保護板と右脚保護板の上端部の全領域に亘って変形が発生したことが確認される。
【０１４６】
このような解釈結果を参照する時、本実施例の足プロテクターは着用者の脚の厚さの変化や、着用過程で第１連結部を通じて柔軟に広がり効果を提供することが分かる。
【０１４７】
図１７は、本発明のさらに他の一実施例に係る足プロテクターの断面図である。本実施例のカバーは前述した図３と異なる形態の係止構造を有する。
【０１４８】
本発明のさらに他の一実施例に係る前記着脱結合手段４０は、前記カバー３２の端部に少なくとも一つ以上形成される弾性挿入片１４４と、前記底板部１０に形成されるものの、前記弾性挿入片１４４と対応する位置に形成された挿入孔１４６を含んで構成される。
【０１４９】
前記弾性挿入片１４４は、下方に延長形成されて一端が前記カバー３２の端部に連結され、他端には結合状態で前記挿入孔１４６の下側に露出して挿入孔１４６の一側面に備えられた係止段１４７に係止される係止部１４５が備えられる。
【０１５０】
このような係止構成を取る場合、弾性挿入片１４４および係止部１４５がさらに単純な構造を有するため、係合をより堅固にできるという長所がある。
【０１５１】
好ましくは、本実施例の弾性挿入片１４４は前記カバー３２の左側および右側端部にそれぞれ一つずつ形成され得る。
【０１５２】
一方、本実施例の係止部１４５は結合状態で前記底板部１０の挿入孔１４６を通じて下部側に露出するように形成されるため、着用者は底板部１０の下側で係止部１４５を着脱操作することができる。このような点を勘案して、本実施例の弾性挿入片１４４は前記カバー３２の左側および右側端部だけでなく、足指が位置する中央の前端部側に位置してもよい。
【０１５３】
弾性挿入片１４４が前記カバー３２の中央の前端部側に位置する場合、前記カバー３２の前側まで堅固に結合できるという長所がある。
【０１５４】
一方、図１１を参照して前述した通り、前記保護部２０、特に左足および右足保護板２６ａ、２６ａ’と前記足指蓋部３０の相互隣接部には隙間Ｃが形成される。
【０１５５】
このような構成を取る場合、着用者が本実施例の足プロテクターを着用して歩行時に底板部１０が屈曲変形しても、左足および右足保護板２６ａ、２６ａ’と前記足指蓋部３０が隙間Ｃにより円滑な接触状態をなすことができるという長所がある。
【０１５６】
図１８は、本発明のさらに他の一実施例に係る足プロテクターの足指蓋部の斜視図である。図１９は、本発明のさらに他の一実施例に係る足プロテクターの足指蓋部の部分断面図である。図２０は、図１９の状態で突出挿入片のカバー締結部と溝部のカバー締結段が係止解除された状態を示した部分断面図である。図１９は図１のＣ−Ｃ’の断面図である。先立って説明された構成と同一構成に対する重複説明は省略する。
【０１５７】
本発明のさらに他の実施例に係る足プロテクター１は前述した図１〜図６の基本構成を有し、前記カバー３２と底板部１０の結合がより堅固になされるように構成される。
【０１５８】
このために、前記カバー３２は端部の一側に下方に延びた少なくとも一つ以上の突出挿入片３４が形成され、前記底板部１０は前記突出挿入片３４と対応する位置に前記突出挿入片３４が挿入可能な溝部１４が形成される。
【０１５９】
また、前記突出挿入片３４の下端には、結合状態で前記溝部１４の下側に挿入されて溝部１４の下側に形成されたカバー締結段１１４に係止（Ｐ）されるカバー締結部１３４が備えられる。
【０１６０】
本実施例の場合、カバー締結部１３４が前記突出挿入片３４の下端の前側（足指の前側）に形成された場合が例示されたが、これとは反対に前記突出挿入片３４の下端の後側（足裏側）に形成されてもよいのは言うまでもない。
【０１６１】
このような構成を通じて、前記カバー３２と底板部１０の結合がさらに堅固になされ、着用者の歩行時にカバー３２の突出挿入片３４が溝部１４から予期せずに脱落することを防止できる。
【０１６２】
一方、本実施例の場合、前記突出挿入片３４は図２に例示された通り、前記カバー３２の端部に沿って多数個が形成されてもよく、前記カバー３２の最先端部（足指部の中央の最も前端部分）に一つのみ形成することも可能である。
【０１６３】
さらに好ましくは、前記突出挿入片３４は前記カバー３２の最先端部（足指部の中央の最も前端部分）に位置するように形成される。これを通じて、後述するように前記カバー３２を、回動開放操作時に前記最先端部に位置する突出挿入片３４を回動の中心として使用することができる。
【０１６４】
また、前記着脱結合手段４０が解除されて前記カバー３２が前記最先端部に位置する突出挿入片３４を中心に上方に回動開放操作できるように、前記カバー３２の最先端部に位置する突出挿入片３４と前記溝部１４の間には隙間Ｃ１が形成される。
【０１６５】
前記隙間Ｃ１は、突出挿入片３４または溝部１４の相互対向面のうち少なくとも一側に若干の間隔を形成するか、傾斜面を形成する方式で提供され得る。
【０１６６】
このような隙間Ｃ１を通じて、前記カバー３２が前記最先端部に位置する突出挿入片３４を中心に円滑に上方に回動開放操作できるようになる。
【０１６７】
これと共に、前記着脱結合手段４０が解除されて前記カバー３２が前記最先端部に位置する突出挿入片３４を中心に上方に回動開放操作された状態で、前記突出挿入片３４のカバー締結部１３４と前記溝部１４のカバー締結段１１４は係止解除状態をなすように形成される。
【０１６８】
一例として、カバー締結部１３４およびカバー締結段１１４の相互対向面をそれぞれ垂直から若干の傾斜度を有する傾斜面の形態に形成し、カバー締結部１３４の反対側である突出挿入片３４の内側面とこれに対向する溝部１４の間にも前記傾斜面と類似する角度ａを有する傾斜面を形成すれば、前記カバー３２が前記最先端部に位置する突出挿入片３４を中心に上方に回動開放操作された状態で、カバー締結部１３４およびカバー締結段１１４の係止（Ｐ）が自然に解除されて容易に分離操作ができるようになる。図２０にこのような状態が例示された。
【０１６９】
このような構成を通じて着用者は、前記着脱結合手段４０を解除し、前記カバー３２を前記最先端部に位置する突出挿入片３４を中心に上方に回動開放操作するだけで、前記カバー３２と底板部１０を容易に分離することができる。
【０１７０】
図２１は、本発明のさらに他の一実施例に係る足プロテクターのインソール部分の斜視図である。図２２は、本発明のさらに他の一実施例に係る足プロテクターのインソール部分の分解斜視図である。図２３は、本発明のさらに他の一実施例に係る足プロテクターのインソール部分の別の方向から見た分解斜視図である。図２４は、本発明のさらに他の一実施例に係る第２インソールの断面図である。先立って説明された構成と同一構成に対する重複説明は省略する。
【０１７１】
本実施例に係る足プロテクター１は足を支える底板部１０、足と脚を固定、保護する保護部２０、第１インソール５０および第２インソール６０を含んで構成される。第２インソール６０は図６のインソール６０と同一要素と見ることができる。
【０１７２】
前記第１インソール５０は前記底板部１０の下側に備えられる。
【０１７３】
本実施例に係る前記第１インソール５０は、足の前後方向に沿って多数の屈曲が配置された第１屈曲部５３が下面に備えられた第１インソール板部５２と、前記第１インソール板部５２の側面に沿って形成される多数の側面突起５５を含んで構成される。
【０１７４】
前記第１インソール板部５２、第１屈曲部５３および側面突起５５は一体に形成されることが好ましく、一例として、金型の型枠を利用した射出成型によって形成され得る。
【０１７５】
前記第２インソール６０は前記第１インソール５０の下側に着脱可能に結合される。
【０１７６】
本実施例に係る前記第２インソール６０は、前記第１屈曲部５３に対応する屈曲形状に形成される第２屈曲部６３が上面に備えられた第２インソール板部６２と、内側面に前記多数の側面突起５５が挿入されるようにする突起挿入溝６５が備えられ、前記第２インソール板部６２の周りに沿って形成された側壁部６４を含んで構成される。
【０１７７】
前記第２インソール板部６２、第２屈曲部６３、突起挿入溝６５および側壁部６４は一体に形成されることが好ましく、一例として、金型の型枠を利用した射出成型によって形成され得る。
【０１７８】
前記第１屈曲部５３と第２屈曲部６３は前記第１インソール５０と第２インソール６０の結合時の位置を正しくし、前記側面突起５５と突起挿入溝６５は前記第１インソール５０と第２インソール６０の結合がなされ維持されるようにする。
【０１７９】
前記第１インソール５０と第２インソール６０は伸縮性のある素材からなることが好ましく、一例として、ＥＶＡ（Ｅｔｈｙｌｅｎｅ−Ｖｉｎｙｌ  Ａｃｅｔａｔｅ）、ウレタン、ＰＵ（Ｐｏｌｙｕｒｅｔｈａｎｅ）、発泡スポンジ、ゴム等を利用することができる。
【０１８０】
前記第１屈曲部５３と第２屈曲部６３は、相互対応する屈曲形状に形成されて第１屈曲部５３と第２屈曲部６３の対応する部分が面接触しながら結合がなされる。
【０１８１】
前記第１屈曲部５３および第２屈曲部６３の屈曲形状は好ましくはラウンディング状に形成される。
【０１８２】
前記屈曲形状がラウンディング状に形成されることによって、第１インソール５０と第２インソール６０が容易に結合される。
【０１８３】
さらに付け加えると、第１インソール５０が第２インソール６０の上部に、同一位置に正確に置かれた状態ではなくても、本実施例に係る足プロテクター１の着用者の足の前後方向に、適切に類似する位置に第１インソール５０と第２インソール６０を置いて第１インソール５０を下部に加圧する場合、前記ラウンディング状に形成された第１屈曲部５３の屈曲形状が第２屈曲部６３の屈曲形状の上を自然にスライディングして移動して正確な位置に整合するため、第１インソール５０と第２インソール６０が容易に結合される。
【０１８４】
したがって、本実施例に係る足プロテクター１の着用者が足プロテクター１を着用した状態で、底板部１０の下部に備えられた第１インソール５０を第２インソール６０の上に載置して下部に適切な力を加えることだけで、第２インソール６０と第１インソール５０の挿入結合ができるようになる。
【０１８５】
前記挿入結合および結合の維持は前述した通り、突起挿入溝６５に側面突起５５が挿入されることによって行われる。
【０１８６】
すなわち、前記第１インソール５０と第２インソール６０の挿入結合時、第２インソール６０の側壁部６４が前記側面突起５５によって外側に広がり、第１屈曲部５３と第２屈曲部６３が対応する位置で面接触すると共に前記側壁部６４に付与された弾性力によって前記側壁部６４が内側に加圧されるので、前記突起挿入溝６５に側面突起５５が挿入されるようになる。
【０１８７】
前記側面突起５５および突起挿入溝６５は、結合を維持するために、相互に類似する形状および規模（例、面積、大きさなど）を有するように形成されることが好ましい。
【０１８８】
図２３において拡大表示された部分は、説明の理解を助けるために、該当する部位に形成された側面突起５５の断面を示したものである。
【０１８９】
本実施例に係る前記側面突起５５は図２３に図示された通り、上部角５５ａと下部角５５ｂを含み、前記下部角５５ｂは上部角５５ａよりも緩やかにラウンディング処理される。
【０１９０】
前記「ラウンディング」は、本発明の実施例において曲線形のラウンディングを意味するものと理解され得、製作の便宜上若干の直線形部分（例、角）が含まれる場合も本実施例のラウンディングの範囲と見ることができる。
【０１９１】
前記下部角５５ｂは上部角５５ａよりも緩やかにラウンディング処理されているため、第２インソール６０の付着（挿入結合）時に第１インソール５０が第２インソール６０の内側に滑らかに挿入され得るようにする。
【０１９２】
前記上部角５５ａは一例として、図２３に図示された通り、直角またはこれに近く折り曲げられた角を有するように形成され、本実施例に係る足プロテクター１の着用者の歩行中に前記突起挿入溝６５に挿入された側面突起５５が上側に抜けて第２インソール６０が脱去されないようにすることによって、結合を維持する役割をする。
【０１９３】
この時、前記突起挿入溝６５の上部側は前記上部角５５ａが係止されるように、上部角５５ａの上面の形状に対応する形状に形成されることが好ましい。
【０１９４】
前記側壁部６４は一例として、図２２に図示された通り、上面の内側に形成される段差部６６をさらに含んで構成される。
【０１９５】
前記段差部６６は第１インソール５０が第２インソール６０に挿入結合される時、挿入が容易になされるようにする。
【０１９６】
さらに付け加えると、第１インソール５０が第２インソール６０の上部に、同一位置に正確に置かれた状態ではなくても、本実施例に係る足プロテクター１の着用者の足の左右方向に、適切に類似する位置に第１インソール５０と第２インソール６０を置いて第１インソール５０を下部に加圧する場合、側壁部６４の上面に一部係止が発生しても前記段差部６６によって第１インソール５０が第２インソール６０に挿入結合され得るようになる。
【０１９７】
これによって、前記段差部６６は第１インソール５０と第２インソール６０が挿入結合され得るクリアランスを提供する一方、挿入結合された第１インソール５０の上面が外部に露出しないようにするデザイン的な要素を同時に提供する。
【０１９８】
図２１および図２３では説明の便宜のために足プロテクター１を省略したのであり、図２１の第１インソール５０の上部に本実施例に係る足プロテクター１が結合されるものと理解することができる。
【０１９９】
図２５は、本発明のさらに他の一実施例に係る第１インソールの底面図である。図２６は、本発明のさらに他の一実施例に係る足プロテクターのインソール部分の脱去中の状態を示す使用状態図である。
【０２００】
本実施例に係る前記側面突起５５は、少なくとも前記第１インソール板部５２の側面の側方と前方の連結部位５４ｆｓまたは側方と後方の連結部位５４ｒｓのうち少なくともいずれか一つ以上の部位に一つ以上形成される。
【０２０１】
一例として、前記側面突起５５が図２５に図示された通り、第１インソール板部５２の側面の側方と前方の連結部位５４ｆｓに形成される場合、本実施例に係る足プロテクター１から第２インソール６０の脱去時に、前記連結部位５４ｆｓに形成される側面突起５５によって脱去の連続性を提供するため、第２インソール６０の脱去が容易となる。
【０２０２】
本実施例に係る前記側面突起５５は、前端に備えられる側面突起ｆ５５に比べて後端に備えられる側面突起ｒ５５の面積がより大きく形成される。
【０２０３】
前記側面突起５５は、前述したように結合がなされ結合を維持する役割をするため、脱去時の側面突起５５の面積が前端に比べて後端で大きく形成されることが脱去を容易にするのに好ましい。前記側面突起５５の面積は側面突起５５の全般的な規模を意味するものであって、一例として側面突起５５の外表面積または断面積と理解され得る。
【０２０４】
一例として、前記第１インソール板部の側面５４で側面突起５５が形成された部分の面積は、第１インソール板部の側面５４の全面積の１０〜５０％に形成される。
【０２０５】
この場合、側面突起５５の面積は基底部分の断面積と理解され得る。
【０２０６】
前記側面突起５５は、一つで長く形成されずに多数個が間隔をおいて形成され、多数の側面突起５５がそれぞれの突起挿入溝６５に挿入されるため、側面突起５５が形成されたそれぞれの部位が固定されるようになる。したがって、一部の側面突起５５に衝撃が加えられて側面突起５５が突起挿入溝６５から抜け出ても、他の部位に形成された側面突起５５が突起挿入溝６５に挿入固定された状態に影響を与えなくなる。
【０２０７】
前記側面突起５５が形成された部分の面積が第１インソール板部の側面５４の全面積の５０％を超過するか、１０％未満である場合、前記側面突起５５の結合維持効果が低減して前記第２インソール６０または第１インソール５０の一部に衝撃が加えられる場合、第２インソール６０の脱去が容易に発生し得るため、側面突起５５が形成された部分の面積が第１インソール板部の側面５４の全面積の１０〜５０％で形成されることが好ましい。
【０２０８】
前記足プロテクター１は一例として、前記側壁部６４の一側に備えられた着脱取っ手７０をさらに含んで構成される。
【０２０９】
前記着脱取っ手７０は着用者が第２インソール６０の底面の一部を取らずとも第２インソール６０が容易に脱去されるようにするためのものであて、外部に突出することを防止し、着用者が容易に着脱取っ手７０を利用できるようにするために前記側壁部６４の前面に上側に形成されることが好ましい。
【０２１０】
前記着脱取っ手７０を下側に引くことによって、図２６に図示された通り、第２インソール６０が第１インソール５０から容易に脱去される。
【０２１１】
前記第２インソール板部６２の下面にはすべりを防止するすべり防止部６７が備えられ得る。前記すべり防止部６７は、一例として、図２４に図示された通り、溝の形状に形成され得、他の例として、突起状に形成されてもよい。
【０２１２】
本実施例に係る前記第１インソール５０は第２インソール６０より硬質に形成される。
【０２１３】
一例として、前記第１インソール５０が第２インソール６０より硬質の素材からなるように形成され得る。この場合、第１インソール５０はＥＶＡパイロン（Ｅｔｈｙｌｅｎｅ−Ｖｉｎｙｌ  Ａｃｅｔａｔｅ  Ｐｈｙｌｏｎ）素材からなり、第２インソール６０は相対的に軟質であるＥＶＡ素材からなるように構成され得る。
【０２１４】
他の例として、素材自体は変更せず、発泡の程度を調節して硬質の変化を与えることも可能である。
【０２１５】
前記第１インソール５０が第２インソール６０より硬質に形成されるので、第１インソール５０が第２インソール６０に挿入結合時に第２インソール６０が適切に広がりながら挿入され得、前記第２インソール６０の脱去時にも第２インソール６０が柔軟に曲がりながら脱がれるため、容易に脱去できるようになる。
【０２１６】
図２７は、本発明のさらに他の一実施例に係る足プロテクターの室内での使用状態を示す側面図である。図２８は、本発明のさらに他の一実施例に係る足プロテクターの室外での使用状態を示す側面図である。
【０２１７】
本実施例に係る第１インソール５０および第２インソール６０は、図２８に図示された通り、第２インソール６０が第１インソール５０に結合されて室外で歩行がなされる場合、第１インソール５０が外部に露出しないように形成される。
【０２１８】
したがって、前記第１インソール５０は室外で活動しても外部のホコリなどによる汚染の発生が最小化されるため、図２７に図示された通り、第２インソール６０を脱去した状態で第１インソール５０で室内歩行がなされても室内を汚染させなくなる。
【０２１９】
本実施例に係る足プロテクター１の第１インソール５０および第２インソール６０は、本実施例に係る足プロテクター１以外の構造、形状を有する多様な靴においても適用が可能である。
【０２２０】
この場合、第１インソール５０は靴の底板（図示されず）の下側に備えられ、足の前後方向に沿って多数の屈曲が配置された第１屈曲部５３が下面に備えられた第１インソール板部５２と、前記第１インソール板部５２の側面に沿って形成される多数の側面突起５５を含む。
【０２２１】
前記第１インソール５０は前述した通り、靴の底板（図示されず）の下側に接着結合、篏合などの形態で備えられ得る。
【０２２２】
また、第２インソール６０は前記第１インソール５０の下側に着脱可能に結合され、前記第１屈曲部５３に対応する屈曲形状に形成される第２屈曲部６３が上面に備えられた第２インソール板部６２と、内側面に前記多数の側面突起５５が挿入されるようにする突起挿入溝６５が備えられ、前記第２インソール板部６２の周りに沿って形成された側壁部６４を含んで構成される。
【０２２３】
このような第１インソール５０および第２インソール６０を含むインソールは、本実施例に係る足プロテクター１を含まない靴に適用される場合にも、靴の着用状態を維持しながらも室内外を自由に移動できるという効果を提供する。
【０２２４】
本発明は添付された図面を参照して好ましい実施例を中心に記述されたが、当業者であればこのような記載から本発明の範疇を逸脱することなく多様かつ自明な変形が可能であることが言うまでもない。したがって、本発明の範疇はこのような多くの変形例を含むように記述された特許請求の範囲によって解釈されるべきである。
【図１】
2019513506.tif 000003
【図２】
2019513506.tif 000004
【図３】
2019513506.tif 000005
【図４】
2019513506.tif 000006
【図５】
2019513506.tif 000007
【図６】
2019513506.tif 000008
【図７】
2019513506.tif 000009
【図８】
2019513506.tif 000010
【図９】
2019513506.tif 000011
【図１０】
2019513506.tif 000012
【図１１】
2019513506.tif 000013
【図１２】
2019513506.tif 000014
【図１３】
2019513506.tif 000015
【図１４】
2019513506.tif 000016
【図１５】
2019513506.tif 000017
【図１６】
2019513506.tif 000018
【図１７】
2019513506.tif 000019
【図１８】
2019513506.tif 000020
【図１９】
2019513506.tif 000021
【図２０】
2019513506.tif 000022
【図２１】
2019513506.tif 000023
【図２２】
2019513506.tif 000024
【図２３】
2019513506.tif 000025
【図２４】
2019513506.tif 000026
【図２５】
2019513506.tif 000027
【図２６】
2019513506.tif 000028
【図２７】
2019513506.tif 000029
【図２８】
2019513506.tif 000030
【手続補正書】
【提出日】平成30年10月22日(2018.10.22)
【手続補正１】
【補正対象書類名】特許請求の範囲
【補正対象項目名】全文
【補正方法】変更
【補正の内容】
【特許請求の範囲】
【請求項１】
足と下肢を保護できるようにし、弾性素材からなる足プロテクターであって、
足を支える底板部；
前記底板部の上側に連結形成され、足と下肢の側面部と後面部の少なくとも一部を包み込むように形成される保護部；
前記底板部の前面部の上側に備えられ、足指を上部から包み込むように形成され、カバーを含む足指蓋部；および
前記足指蓋部の一側に形成されて足プロテクターを着用した状態でも足指蓋部を着脱可能にする着脱結合手段；を含み、
前記着脱結合手段は、前記カバーの端部から前記底板部に向かって少なくとも一つ以上形成される弾性挿入片および前記底板部に形成されるものの、前記弾性挿入片と対応する位置に形成された挿入孔を含んで、弾性力によって嵌合されるように構成されることを特徴とする、足プロテクター。
【請求項２】
前記弾性挿入片は、Ｕ字状に形成されて一端が前記カバーの端部に連結され、他端には結合状態で前記挿入孔の上側に露出するように形成された着脱部が備えられ、
前記挿入孔よりもＵ字状の弾性挿入片の収縮前の大きさが大きく形成されたことを特徴とする、請求項１に記載の足プロテクター。
【請求項３】
前記弾性挿入片は、Ｕ字状に形成されて一端が前記カバーの端部に連結され、他端には結合状態で前記挿入孔の上側に露出するように形成された着脱部が備えられ、
前記弾性挿入片の前記他端の一側には、結合状態で前記挿入孔の一側面に備えられた係止段に係止される係止部が備えられたことを特徴とする、請求項１に記載の足プロテクター。
【請求項４】
前記カバーは端部の一側に少なくとも一つ以上の突出挿入片が形成され、
前記底板部は前記突出挿入片と対応する位置に前記突出挿入片を挿入可能な溝部が形成されることを特徴とする、請求項１に記載の足プロテクター。
【請求項５】
前記突出挿入片の下端には結合状態で前記溝部の下側に挿入されて溝部の下側に形成されたカバー締結段に係止されるカバー締結部が備えられたことを特徴とする、請求項４に記載の足プロテクター。
【請求項６】
前記突出挿入片は前記カバーの最先端部に位置するように形成されたことを特徴とする、請求項５に記載の足プロテクター。
【請求項７】
前記着脱結合手段が解除され、前記カバーが前記最先端部に位置する突出挿入片を中心に上方に回動開放操作ができるように、
前記カバーの最先端部に位置する突出挿入片と前記溝部間には隙間が形成されたことを特徴とする、請求項６に記載の足プロテクター。
【請求項８】
前記着脱結合手段が解除され、前記カバーが前記最先端部に位置する突出挿入片を中心に上方に回動開放操作された状態で、
前記突出挿入片のカバー締結部と前記溝部のカバー締結段は係止解除状態をなすように形成されたことを特徴とする、請求項７に記載の足プロテクター。
【請求項９】
足と下肢を保護するための足プロテクターであって、
足を支える底板部；
前記底板部の上側に連結形成され、足と下肢の側面部と後面部の少なくとも一部を包み込むように形成される保護部；
前記底板部の下側に備えられ、足の前後方向に沿って多数の屈曲が配置された第１屈曲部が下面に備えられた第１インソール板部と、前記第１インソール板部の側面に沿って形成される多数の側面突起を含む第１インソール；および
前記第１インソールの下側に着脱可能に結合され、前記第１屈曲部に対応する屈曲形状に形成される第２屈曲部が上面に備えられた第２インソール板部と、内側面に前記多数の側面突起が挿入され得るようにする突起挿入溝が備えられ、前記第２インソール板部の周りに沿って形成された側壁部を含む第２インソール；を含み、
前記第２インソールの内側面が前記第１インソールの外側面を包み込む形態で結合される、足プロテクター。
【請求項１０】
前記第２インソールの側壁部は上面の内側に形成される段差部をさらに含んでなることを特徴とする、請求項９に記載の足プロテクター。
【請求項１１】
前記第２インソールの側壁部の一側に備えられた着脱取っ手をさらに含むことを特徴とする、請求項９に記載の足プロテクター。
【請求項１２】
前記第１インソールの側面突起は上部角と下部角を含み、前記下部角は上部角よりも緩やかにラウンディング処理されたことを特徴とする、請求項９に記載の足プロテクター。
【請求項１３】
前記第１インソールの側面突起は、前端に備えられる側面突起に比べて後端に備えられる側面突起の面積がより大きく形成されることを特徴とする、請求項９に記載の足プロテクター。
【請求項１４】
前記第１インソールは第２インソールより硬質に形成されることを特徴とする、請求項９に記載の足プロテクター。
【請求項１５】
前記第１屈曲部および第２屈曲部の屈曲形状はラウンディング形状であることを特徴とする、請求項９に記載の足プロテクター。
【手続補正２】
【補正対象書類名】明細書
【補正対象項目名】０１２９
【補正方法】変更
【補正の内容】
【０１２９】
前述した通り、本実施例の足プロテクターには足指蓋部３０が備えられ得る。本実施例では足指蓋部３０が備えられた状態でも前底板部１０ａの弾性曲げ変形が円滑になされるように、前記保護部２０、特に左足および右足保護板２６ａ、２６ａ’と前記足指蓋部３０の相互隣接部には隙間Ｃが形成される。
【手続補正３】
【補正対象書類名】明細書
【補正対象項目名】０１３０
【補正方法】変更
【補正の内容】
【０１３０】
このような構成を取る場合、着用者が本実施例の足プロテクターを着用して歩行時に前底板部１０ａに弾性曲げ変形が発生しても、左足および右足保護板２６ａ、２６ａ’と前記足指蓋部３０が隙間Ｃによって互いに干渉しなくなるため、円滑な歩行が可能となる。
【手続補正書】
【提出日】平成30年11月21日(2018.11.21)
【手続補正１】
【補正対象書類名】特許請求の範囲
【補正対象項目名】全文
【補正方法】変更
【補正の内容】
【特許請求の範囲】
【請求項１】
足と下肢を保護するための足プロテクターであって、
足を支える底板部；
前記底板部の上側に連結形成され、足と下肢の側面部と後面部の少なくとも一部を包み込むように形成される保護部；
前記底板部の下側に備えられ、足の前後方向に沿って多数の屈曲が配置された第１屈曲部が下面に備えられた第１インソール板部と、前記第１インソール板部の側面に沿って形成される多数の側面突起を含む第１インソール；および
前記第１インソールの下側に着脱可能に結合され、前記第１屈曲部に対応する屈曲形状に形成される第２屈曲部が上面に備えられた第２インソール板部と、内側面に前記多数の側面突起が挿入され得るようにする突起挿入溝が備えられ、前記第２インソール板部の周りに沿って形成された側壁部を含む第２インソール；を含み、
前記第２インソールの内側面が前記第１インソールの外側面を包み込む形態で結合される、足プロテクター。
【請求項２】
前記第２インソールの側壁部は上面の内側に形成される段差部をさらに含んでなることを特徴とする、請求項１に記載の足プロテクター。
【請求項３】
前記第２インソールの側壁部の一側に備えられた着脱取っ手；をさらに含むことを特徴とする、請求項１に記載の足プロテクター。
【請求項４】
前記側面突起は、少なくとも前記第１インソール板部の側面の側方と前方の連結部位または側方と後方の連結部位のうち少なくともいずれか一つ以上の部位に一つ以上形成されることを特徴とする、請求項１に記載の足プロテクター。
【請求項５】
前記第１インソールの側面突起は上部角と下部角を含み、前記下部角は上部角よりも緩やかにラウンディング処理されたことを特徴とする、請求項１に記載の足プロテクター。
【請求項６】
前記第１インソールの側面突起は、前端に備えられる側面突起に比べて後端に備えられる側面突起の面積がより大きく形成されることを特徴とする、請求項１に記載の足プロテクター。
【請求項７】
前記第１インソール板部の側面で側面突起が形成された部分の面積は、第１インソール板部の側面の全面積の１０〜５０％であることを特徴とする、請求項１に記載の足プロテクター。
【請求項８】
前記第１インソールは第２インソールより硬質に形成されることを特徴とする、請求項１に記載の足プロテクター。
【請求項９】
前記第１屈曲部および第２屈曲部の屈曲形状はラウンディング形状であることを特徴とする、請求項１に記載の足プロテクター。
【請求項１０】
靴の底板の下側に備えられ、足の前後方向に沿って多数の屈曲が配置された第１屈曲部が下面に備えられた第１インソール板部と、前記第１インソール板部の側面に沿って形成される多数の側面突起を含む第１インソール；および
前記第１インソールの下側に着脱可能に結合され、前記第１屈曲部に対応する屈曲形状に形成される第２屈曲部が上面に備えられた第２インソール板部と、内側面に前記多数の側面突起が挿入され得るようにする突起挿入溝が備えられ、前記第２インソール板部の周りに沿って形成された側壁部を含む第２インソール；を含み、 前記第２インソールの内側面が前記第１インソールの外側面を包み込む形態で結合される、インソール。
【国際調査報告】
2019513506.tif 000031
2019513506.tif 000032
2019513506.tif 000033
2019513506.tif 000034
2019513506.tif 000035
2019513506.tif 000036